(57)【要約】【課題】より簡単な構造で、使用や洗浄を容易に行うことができる塗装装置、塗装キット及びそれを用いた塗装方法を提供する。【解決手段】本発明の塗装装置は、第１の面、及び、上記第１の面に対向する第２の面を有する塗布部と、上記塗布部の上記第２の面の側に突出して設けられ、塗料を含む塗料容器の容器口部を着脱可能に受容するコネクタ口部を有するコネクタ部と、を備える塗装装置であって、上記コネクタ部は、上記塗料容器を受容する方向に延びる中心軸を上記コネクタ口部内に規定し、上記中心軸は、上記第１の面に対して鋭角で交わることを特徴とする。【選択図】図１
2015123392.tif 000002
【特許請求の範囲】
【請求項１】
第１の面、及び、前記第１の面に対向する第２の面を有する塗布部と、
塗料を含む塗料容器の容器口部を着脱可能に受容する形状及び寸法に規定されたコネクタ口部を有するコネクタ部であって、前記塗布部の前記第２の面の側に突出して設けられたコネクタ部と、
を備える塗装装置であって、
前記コネクタ部は、前記塗料容器を受容する方向に延びる中心軸を前記コネクタ口部内に規定し、
前記中心軸は、前記第１の面に対して鋭角で交わることを特徴とする塗装装置。
【請求項２】
更に、前記第２の面に固着された基板を備え、前記コネクタ部は、前記基板に固着されていることを特徴とする請求項１記載の塗装装置。
【請求項３】
更に、前記塗布部の前記第２の面の側に突出して設けられた把持部を有し、前記把持部は前記コネクタ部に隣接して設けられていることを特徴とする請求項１又は２記載の塗装装置。
【請求項４】
第１の面、及び、前記第１の面に対向する第２の面を有する塗布部と、
前記塗布部の前記第２の面の側に突出して設けられた塗料を含む塗料容器と、
前記塗布部の前記第２の面の側に突出して設けられ、前記塗料容器の容器口部を着脱可能に受容するコネクタ口部を有するコネクタ部と、を備える塗装キットであって、
前記コネクタ部は、前記塗料容器を受容する方向に延びる中心軸を前記コネクタ口部内に規定し、
前記中心軸は、前記第１の面に対して鋭角で交わることを特徴とする塗装キット。
【請求項５】
第１の面、及び、前記第１の面に対向する第２の面を有する塗布部と、前記塗布部の前記第２の面の側に突出して設けられた塗料を含む塗料容器と、前記塗布部の前記第２の面の側に突出して設けられ、前記塗料容器の容器口部を着脱可能に受容するコネクタ口部を有するコネクタ部と、を備える塗装キットであって、前記コネクタ部は前記塗料容器を受容する方向に延びる中心軸を前記コネクタ口部内に規定し、前記中心軸は前記第１の面に対して鋭角で交わる前記塗装キットを供し、
前記第１の面が対象物の表面に対して傾斜するように、前記第１の面の端縁部を前記対象物に当接し、
前記塗装キットを移動させて、前記第１の面の略全面を前記対象物の表面に当接することによって、前記対象物の表面に前記塗料を供給することを特徴とする塗装方法。
【請求項６】
前記塗料を供給しながら、前記対象物の表面に沿って、前記塗装キットを移動させることによって、前記対象物の表面に塗膜を形成することを特徴とする請求項５記載の塗装方法。
【発明の詳細な説明】
【技術分野】
【０００１】
本発明は、塗装装置、塗装キット及び塗装方法に関する。
【背景技術】
【０００２】
従来、塗装装置として、ローラーまたはスポンジブラシなどの塗布部に、塗料タンクからチューブを通って、塗料を供給しながら、建物や車両の壁面などの対象物を塗装するものが知られている。例えば、特許文献１及び特許文献２に開示されている塗装装置は、塗料ポンプ圧送装置を用いて、塗料タンクからチューブを通って塗装装置の塗布部に塗料を圧送するものであり、塗布部を対象物に当接しながら塗布部を移動させることで、壁面に塗料を塗布するものであった。
【０００３】
しかしながら、このような従来の塗装装置は、塗料ポンプ圧送装置などを含み、構造が複雑であった。このため、従来の塗装装置は、装置の製造にコストや時間がかかるものであり、装置の使用後の洗浄も困難であった。
【先行技術文献】
【特許文献】
【０００４】
【特許文献１】特開２０１２−２００７２０号公報
【特許文献２】特開２００４−２３７２７７号公報
【発明の概要】
【発明が解決しようとする課題】
【０００５】
本発明は上記事由に鑑みて為されたものであり、その目的は、より簡単な構造で、使用や洗浄を容易に行うことができる塗装装置、塗装キット及びそれを用いた塗装方法を提供することにある。
【課題を解決するための手段】
【０００６】
このような目的は、下記の本発明により達成される。
本発明の一側面としての塗装装置は、第１の面、及び、上記第１の面に対向する第２の面を有する塗布部と、上記塗布部の上記第２の面の側に突出して設けられ、塗料を含む塗料容器の容器口部を着脱可能に受容するコネクタ口部を有するコネクタ部と、を備える塗装装置であって、上記コネクタ部は、上記塗料容器を受容する方向に延びる中心軸を上記コネクタ口部内に規定し、上記中心軸は、上記第１の面に対して鋭角で交わることを特徴とする。
【０００７】
本発明の別の側面としての塗装装置は、上記塗装装置であって、更に、上記第２の面に固着された基板を備え、上記コネクタ部は、上記基板に固着されていることを特徴とする。
【０００８】
本発明の別の側面としての塗装装置は、上記塗装装置であって、更に、上記塗布部の上記第２の面の側に突出して設けられた把持部を有し、上記把持部は上記コネクタ部に隣接して設けられていることを特徴とする。
【０００９】
本発明の一側面としての塗装キットは、第１の面、及び、上記第１の面に対向する第２の面を有する塗布部と、上記塗布部の上記第２の面の側に突出して設けられた塗料を含む塗料容器と、上記塗布部の上記第２の面の側に突出して設けられ、上記塗料容器の容器口部を着脱可能に受容するコネクタ口部を有するコネクタ部と、を備える塗装キットであって、上記コネクタ部は、上記塗料容器を受容する方向に延びる中心軸を上記コネクタ口部内に規定し、上記中心軸は、上記第１の面に対して鋭角で交わることを特徴とする。
【００１０】
本発明の一側面としての塗装方法は、第１の面、及び、上記第１の面に対向する第２の面を有する塗布部と、上記塗布部の上記第２の面の側に突出して設けられた塗料を含む塗料容器と、上記塗布部の上記第２の面の側に突出して設けられ、上記塗料容器の容器口部を着脱可能に受容するコネクタ口部を有するコネクタ部と、を備える塗装キットであって、上記コネクタ部は上記塗料容器を受容する方向に延びる中心軸を上記口部内に規定し、上記中心軸は上記第１の面に対して鋭角で交わる上記塗装キットを供し、上記第１の面が対象物の表面に対して傾斜するように、上記第１の面の端縁部を上記対象物に当接し、上記塗装装置を移動させて、上記第１の面の略全面を上記対象物の表面に当接することによって、上記対象物の表面に上記塗料を供給することを特徴とする。
【００１１】
本発明の別の側面としての塗装方法は、上記塗装方法であって、上記塗料を供給しながら、上記対象物の表面に沿って、上記塗装装置を移動させることによって、上記対象物の表面に塗膜を形成することを特徴とする。
【発明の効果】
【００１２】
本発明の塗装装置及び塗装キットは、上記構成によって、塗装装置及び塗装キットの製造コストを抑えることができる。また、本発明の塗装装置、塗装キット及び塗装方法は、使用者の塗装技術が低くても、短時間に美しい塗膜形成を可能とする。さらにまた、本発明の塗装装置、塗装キットは、塗料容器を着脱可能であることから、多種の塗料容器及び塗料を選択可能であるため、多種の塗膜を対象物表面に形成でき、かつ、洗浄などの他機能を持たせることもできる。さらにまた、本発明の塗装キット及び塗装方法は、塗装キットの角度を変えるだけで、塗料の供給及びその中止を制御できる。
【図面の簡単な説明】
【００１３】
【図１】本発明の実施形態に係る塗装装置、及び、塗装キットの部分である塗装装置の斜視図である。
【図２】本発明の実施形態に係る塗装装置、及び、塗装キットの部分である塗装装置の側面図である。
【図３】（ａ）本発明の実施形態に係る塗装装置、及び、塗装キットの部分である塗装装置の底面図である。（ｂ）本発明の実施形態の変形例に係る塗装装置、及び、塗装キットの部分である塗装装置の底面図である。
【図４】本発明の実施形態に係る塗装装置、及び、塗装キットの部分である塗装装置の上面図である。
【図５】図４のＡ−Ａ’断面における断面図である。
【図６】図４のＢ−Ｂ’断面における断面図である。
【図７】本発明の実施形態の変形例に係る塗装装置、及び、塗装キットの部分である塗装装置の図４のＡ−Ａ’断面に対応する部分の断面図である。
【図８】（ａ）本発明の実施形態に係る塗装装置又は塗装キットのコネクタ部口部の形状、塗料容器の容器口部の形状、及び、コネクタ部口部と容器口部との接続構造を説明する図である。（ｂ）本発明の実施形態の変形例に係る塗装装置又は塗装キットのコネクタ部口部の形状、塗料容器の容器口部の形状、及び、コネクタ部口部と容器口部との接続構造を説明する図である。（ｃ）本発明の実施形態の変形例に係る塗装装置又は塗装キットのコネクタ部口部の形状、塗料容器の容器口部の形状、及び、コネクタ部口部と容器口部との接続構造を説明する図である。
【図９】本発明の実施形態の塗装キットの側面図である。
【図１０】本発明の実施形態の塗装キットを自立させた状態を示す説明図である。
【図１１】本発明の実施形態の塗装方法を説明する説明図である。
【図１２】本発明の実施形態の塗装方法を説明する説明図である。
【発明を実施するための形態】
【００１４】
以下、図１乃至図１２を参照して本発明の塗装装置、塗装キットおよび塗装方法の好適な実施形態を詳細に説明する。図１乃至図８は、本発明の実施形態に係る塗装装置及び塗装キットの部分である塗装装置を説明する図であり、図９及び図１０は、本発明の実施形態に係る塗装キットを説明する図である。図１１及び図１２は、本発明の実施形態に係る塗装方法を説明する図である。
【００１５】
なお、これらの実施形態及びその変形例は例示として挙げるものであり、これにより本発明の内容を限定的に解釈すべきではない。なお、以下、本実施形態では、一例として、塗料を壁面に塗布する塗装装置、塗装キットおよび塗装方法を用いて説明する。本発明の実施形態に係る塗装装置、塗装キットおよび塗装方法は、壁面に限らず、建物内外の床面、車両の内装及び車両の外装その他塗装の対象物に使用することができる。本発明の実施形態に係る塗装装置、塗装キットおよび塗装方法は、特に、建物や車両の内外の側壁に塗料を塗布するのに好適に用いられる。
【００１６】
まず、図１乃至図８を用いて、本発明の実施形態に係る塗装装置１及び塗装キット２の部分となる塗装装置１を説明する。図１に示すように、本発明の実施形態に係る塗装装置１及び塗装キット２の部分である塗装装置１は、第１の面Ｓ１及び第１の面Ｓ１に対向する第２の面Ｓ２を有する塗布部１０と、塗布部１０の第２の面Ｓ２の側に突出して設けられたコネクタ部３０であって、塗料を含む塗料容器５０の容器口部５１を着脱可能に受容する形状及び寸法に規定されたコネクタ部３０と、を備える。更に、本発明の実施形態に係る塗装装置１及び塗装キット２の部分である塗装装置１は、図１に示すように、塗布部１０の第２の面Ｓ２に固着された基板２０と、塗布部１０の第２の面Ｓ２の側に突出して設けられた把持部４０と、を備えてもよい。
【００１７】
塗布部１０は、第１の面Ｓ１が対象物に当接され、第１の面Ｓ１が対象物の表面に沿って移動されることで、塗料容器５０からコネクタ部３０を通って塗布部１０に供給された塗料を対象物の表面に塗布するために用いられる。塗布部１０は、第２の面Ｓ２が基板２０に固着されている。
【００１８】
塗布部１０は、対向する第１の面Ｓ１及び第２の面Ｓ２が矩形形状であり、第１の面Ｓ１と第２の面との間に所定の厚みを有する。塗布部１０は、基板２０の表面と略同じ大きさ、又は、基板２０よりも大きい。塗料容器５０から第１の面Ｓ１に塗料を浸透させるために、塗布部１０の厚みは、第１の面Ｓ１及び第２の面Ｓ２の幅よりも小さい。塗布部１０の形状は、矩形形状に限らず、円形形状または楕円形形状であってもよい。塗布部１０の形状が矩形形状であると、壁面などの端まで塗料を塗布しやすい。
【００１９】
塗布部１０の第１の面Ｓ１は、図５に示すように平面状であってもよいし、図７の塗布部１０ａに示すように凹凸部を有するものであってもよいし、湾曲していてもよい。塗布部１０ａの第１の表面Ｓ１が凹凸部を有する場合には、図７に示すとおり、第１の面Ｓ１は複数の凸部の各頂部を通る面と規定される。図７に示すように、第１の面Ｓ１の長手方向に沿って、第１の面Ｓ１の複数の凹部が設けられている場合、凹部を通って塗布部１０ａに塗料をより均一に行きわたらせることができる。
【００２０】
塗料容器５０から第１の面Ｓ１まで塗料を浸透させるために、塗布部１０には、スポンジなどの多孔質材料、ブラシ、植毛又はそれらの組合せを用いることができる。多孔質材料を用いる場合、毛管現象によって塗布部１０に塗料をより均一に行きわたらせることができる。塗布部１０は、対象物にダメージを与えないように、弾性及び／又は柔軟性を有するものを用いることが好ましい。また、塗布部１０は、基板２０及びコネクタ部３０の少なくとも一方に対して、着脱可能であってもよい。塗布部１０が着脱可能である場合には、塗布部１０に塗料や汚れなどが付着した際に、洗浄しづらい塗布部１０のみを破棄することで、基板２０及びコネクタ部３０の少なくとも一方を再使用することができる。
【００２１】
コネクタ部３０は、塗布部１０の第２の面Ｓ２の側に突出するように、すなわち、基板２０のうち塗布部１０の固着面と対向する面から突出するように、基板２０に固着されている。コネクタ部３０は、基板２０又は塗布部１０の幅方向中央に設けられる。コネクタ部３０は、コネクタ口部３１ａとコネクタベース部３１ｂとを含む。コネクタ部３０は、コネクタベース部３１ｂとコネクタ口部３１ａとの間にコネクタ中間部３１ｃを有してもよい。コネクタベース部３１ｂには、その内部に塗料が通るコネクタ通路３２が規定される。コネクタ中間部３１ｃがある場合、その内部に塗料が通るコネクタ通路３２が規定される。このコネクタ通路３２を通って、塗料容器５０から塗布部１０に塗料が供給される。図５に示すように、コネクタ通路３２の内径Ｄ２は、コネクタ口部３１ａの内径Ｄ１よりも小さい。
【００２２】
図３（ａ）及び図３（ｂ）に示すとおり、塗布部１０側から見ると、コネクタ通路３２は、塗布部１０に塗料を供給できるように、その通路出口３２ｂ，ｄが塗布部１０の第２の面Ｓ２に接触または近接して位置づけられる。図３（ａ）に示すように、コネクタ通路３２は、コネクタ口部３１ａ側のコネクタ中間部３１ｃ又はコネクタベース部３１ｂにおける通路入口３２ａが１つで、コネクタベース部３１ｂ側における通路出口３２ｂも１つであってもよい。また、図３（ｂ）に示すようにコネクタ口部３１ａ側におけるコネクタ中間部３１ｃ又はコネクタベース部３１ｂにおける通路入口３２ｃが１つで、コネクタベース部３１ｂａ側における通路出口３２ｄが複数になるように分岐していてもよい。各複数の通路出口３２ｄは、隣接する通路出口３２ｄと等距離だけ離間して配置されていてもよい。コネクタベース部３１ｂは幅方向に細長の矩形形状であってもよい。対象物が側壁である場合に塗布部１０に塗料が広がりやすいように、コネクタ通路３２の通路出口３２ｂ，３２ｄは、塗布部１０の第２の面Ｓ２の中央よりも端部側に偏った位置上に配置されてもよい。
【００２３】
コネクタ部３０は、塗料を含む塗料容器５０の容器口部５１をコネクタ口部３１ａに着脱可能に受容して、塗料容器５０を保持する。これによって、本実施形態の塗装装置、塗装キット及び塗装方法は、多種の塗料容器及び塗料を選択可能であるため、多種の塗膜を対象物表面に形成でき、かつ、洗浄などの他機能を持たせることができる。コネクタ口部３１ａは、断面が円形、楕円形または矩形の筒形状を呈する。コネクタベース部３１ｂは、基板２０及び塗布部１０の少なくともいずれか一方にコネクタ部３０を固着して保持する。コネクタベース部３１ｂは、コネクタ口部３１ａ及びコネクタ中間部３１ｃの少なくともいずれか一方の端部からフランジ状に延びる平面形状を呈する。この平面形状の外形は、矩形、円形または楕円形であってもよい。コネクタ中間部３１ｃは、コネクタ口部３１ａとコネクタベース部３１ｂとの間を接続する。図６に示すように、コネクタ中間部３１ｃは、コネクタ口部３１ａ側の面がコネクタベース部３１ｂ側の面に対して傾斜した形状を呈する。コネクタ口部３１ａに容器口部５１が受領されると、コネクタ中間部３１ｃが容器口部５１の端部のストッパとして機能する。コネクタ部３０は、基板２０と同じ材料で形成されていてもよいし、異なる材料で形成されていてもよい。コネクタ部３０は、塗布部１０よりも剛性が高く、樹脂や金属などの材料によって形成することができる。コネクタ中間部３１ｃは、コネクタ口部３１ａ側に凸環状部３３を有してもよい。この場合、コネクタ口部３１ａの側面と凸環状部３３により規定される溝３４内に可撓性のシールリング３５が配される。これにより、本実施形態の塗装装置１及び塗装キット２は塗料が外部に漏れにくくなる。
【００２４】
コネクタ部３０は、基板２０及び塗布部１０の少なくともいずれか一方に対して、ネジ止め、嵌合及び接着剤の少なくとも一つにより固着されてもよい。また、コネクタ部３０は、基板２０及び塗布部１０の少なくともいずれか一方と一体成型されたものであってもよいし、別体であってもよい。一体成型の場合、基板２０及び塗布部１０の少なくともいずれか一方と、コネクタ部３０と、は金型を用いてワンステップで射出成型される。コネクタ部３０が別体である場合には、基板２０及び塗布部１０の少なくともいずれか一方に対して、コネクタ部３０は着脱自在に固着されていてもよい。コネクタ部３０を着脱できる場合には、供給される塗料の性質や形成される塗膜の性質によって、コネクタ通路３２の内径Ｄ２を変化させることができるため、より美しく簡単に塗装できる。また、コネクタ部３０を着脱できる場合には、コネクタ口部３１ａの形状や内径Ｄ１を変化させることができるため、様々な形状及び寸法の容器口部５１を有する容器を用いることができる。
【００２５】
図６に示すとおり、コネクタ部３０は、塗料容器５０の容器口部５１を受領する方向に延びる中心軸Ｃをコネクタ口部３１ａ内に規定する。中心軸Ｃは、コネクタ口部３１ａの内径の中心を通る軸である。より好ましくは、中心軸Ｃは、コネクタ口部３１ａ及びコネクタ通路３２の内径の中心を通る軸である。中心軸Ｃは、塗布部１０の第１の面Ｓ１に対して傾斜するように、角度αで交わる。角度αは、０度より大きく９０度よりも小さい、すなわち鋭角である。これによって、塗布部１０の第１の面Ｓ１を対象物に当接すると、塗料容器５０から塗料が塗布部１０に送液され、塗装装置１の角度を変えるだけで、塗料の供給を中止できる。このため、本実施形態の塗装装置１及び塗装キット２は、スイッチ操作を必要とせず、また、対象物への接触面積が大きい平面を有する塗布部１０の第１の面Ｓ１を対象物に当接しながら移動させるだけで、対象物に塗料を塗布することができる。従って、本実施形態の塗装装置及び塗装キットは、使用者の塗装技術が低くても、短時間に美しい塗膜形成を可能とする。
【００２６】
図８の（ａ）乃至（ｃ）は、本発明の実施形態及びその変形例に係る塗装装置１又は塗装キット２のコネクタ部３０の形状、塗料容器５０の容器口部５１の形状、及び、コネクタ部３０と容器口部５１との接続構造を説明する図である。コネクタ部３０と塗料容器５０とは、図８（ａ）に示すように、容器口部５１ａの外形をねじ形状として、コネクタ部３０ａの内側にねじ孔３６ａを有することで、塗料容器５０の容器口部５１をコネクタ部３０に螺合して固着してもよい。また、図８（ｂ）に示すように、コネクタ部３０と塗料容器５０とは、容器口部５１ｂの外側に円錐状の突部を形成し、この円錐状の突部を受領する寸法及び形状の溝３６ｂをコネクタ部３０ｂの内側に設けて、溝３６ｂと突部とを嵌合することで、塗料容器５０をコネクタ部３０に固着してもよい。さらにまた、図８（ｃ）に示すように、コネクタ部３０と塗料容器５０とは、容器口部５１ｃの側壁内に格納可能な突部を容器口部５１ｃの外側に形成し、コネクタ部３０ｃの内面に溝３６ｃを設け、溝３６ｃと突部とを嵌合することで、塗料容器５０をコネクタ部３０に固着してもよい。
【００２７】
基板２０には、基板２０の一の面に塗布部１０が固着され、基板２０の他の面にコネクタ部３０が固着される。基板２０は、塗装装置１又は塗装キット２に含まれなくともよく、基板２０がない場合には、コネクタ部３０は塗布部１０に固着される。基板２０は、矩形、円形または楕円形等の平板形状である。基板２０は、コネクタ部３０が配置される部分に、コネクタベース部３１ｂを受領する形状の開口部または溝部を有してもよい。基板２０は、塗布部１０よりも剛性が高く、例えば樹脂や金属材料から構成される。これにより、基板２０は、弾性及び／又は柔軟性の高い塗布部１０を支持して、塗装装置１又は塗装キット２を操作しやすくできる。
【００２８】
把持部４０は、基板２０又は塗布部１０に固着されて設けられ、塗装装置１又は塗装キット２の使用の際に、使用者が把持する部分である。把持部４０は、基板２０又は塗布部１０から、塗布部１０の第２の面Ｓ２の側に突設されている。把持部４０を設けることで、塗料は使用者の手に付着しづらくなる。なお、把持部４０は塗装装置又は塗装キットに含まれなくともよく、把持部４０がない場合には、使用者は塗布部１０又は基板２０を把持する。図４に示すように、把持部４０の長手軸は、基板２０又は塗布部１０の幅方向中央に、その長手方向に沿って位置付けられる。把持部４０と基板２０とは、別体で設けられて、ネジや接着剤などによって固着されてもよいし、一体成型されてもよい。一体成型される場合は、把持部４０と基板２０とは、金型を用いた射出成型によってワンステップで形成される。
【００２９】
図４に示すように、把持部４０は、コネクタ部３０に隣接、又は、近接して設けられる。これにより、本実施形態の塗装装置１又は塗装キット２は、塗料が入った重い塗料容器５０をしっかりと支持することができる。塗装装置１又は塗装キット２は、コネクタベース部３１ｂを挟んで、把持部４０が設けられた側と把持部４０が設けられていない側とを有する。この把持部４０が設けられていない側に、コネクタ口部３１ａの開口側、すなわち、コネクタ通路３２の通路入口側が向くように、コネクタ部３０が配置されることが好ましい。これに対して、コネクタ通路３２の通路出口側は、この把持部４０が設けられた側に向くように配置される。この構成により、塗布部１０への塗料の送液及び送液中止を制御しやすくなる。把持部４０は、基板２０又は塗布部１０から立設する第１の立設部４０ａと、基板２０又は塗布部１０から立設し、第１の立設部４０ａから離間して配置される第２の立設部４０ｂと、第１の立設部４０ａの端部と第２の立設部４０ｂの端部との間の架橋部４０ｃと、を備える。把持部４０の形状は、アーチ形状であってもよい。把持部４０は、基板２０及びコネクタ部３０の少なくとも一方と同じ材料で形成されてもよい。把持部４０は、塗布部１０よりも剛性が高いことが好ましい。
【００３０】
次に、図９及び図１０を用いて、本発明の実施形態に係る塗装キット２を説明する。本発明の実施形態に係る塗装キット２は、塗料容器５０と塗料容器５０を保持する上述の塗装装置１とを備える。塗料容器５０は、塗料が入った容器本体部５２と、容器本体部５２に接続され、塗装装置１のコネクタ口部３１ａに受領される形状及び寸法を規定する容器口部５１と、を有する。容器本体部５２は、ペットボトルや缶などの樹脂又は金属などからなる硬質容器であってもよいし、外力を印加すると変形可能な袋やボトル形状の可撓性容器であってもよい。容器口部５１は、塗装装置１のコネクタ口部３１ａと係合して、塗料容器５０を傾斜した状態でしっかりと保持するために、容器本体部５２よりも剛性が高いことが好ましい。塗料容器５０は、蓋部を有してもよい。蓋部は、塗料容器５０が塗装装置１から外されている際に、容器口部５１に固着されて、塗料が外部に排出されないようにするものである。
【００３１】
塗料容器５０内の塗料は液体である。例えば、塗料は、壁紙などの接着に用いられる接着剤、顔料や染料などを含むペンキ、ワックスや光沢剤などのコーティング剤を含む。塗料は、粘性を有するものであってもよい。塗料容器５０は、容器内の塗料を水や洗浄剤に置き換えることができ、この場合、塗装キット２を洗浄用に転用することができる。
【００３２】
容器本体部５２は、側面５３及び底面５４を有するものであってもよい。容器本体部５２に側面５３及び底面５４を有すると、側面５３又は底面５４を接地して、塗装キットを自立させることができる。例えば、図１０は、底面５４を接地して自立させた塗装キットを示す。これにより、塗装キット２を使用しないときには、塗料容器５０から塗布部１０に塗料が供給されない、若しくは、供給されにくい。これにより、対象物以外のものに塗料を付着しにくくすることができる。
【００３３】
次に、図１１及び図１２を用いて、上述の塗装キット２を用いた本発明の実施形態に係る塗装方法を説明する。まず、塗装キット２を供し、塗装キット２の塗装装置１の第１の面Ｓ１が対象物の表面に対して傾斜するように、第１の面Ｓ１の端縁部Ｌ１を壁面などの対象物に当接して配置する。これにより、塗装キット２の塗料容器５０から塗布部１０に塗料が供給されない、または、供給されにくい状態となっている。
【００３４】
次に、塗装キット２を移動させて、第１の面Ｓ１の略全面を対象物の表面に当接する。これにより、塗料容器５０から塗布部１０を介して、対象物表面に塗料が供給される。この状態で対象物表面に沿って塗装キット２を移動させ、対象物表面に連続的に塗料を供給することで、対象物表面に塗膜を形成する。これにより、本実施形態の塗装方法は、使用者の塗装技術が低くても、短時間に美しい塗膜形成を可能とする。
【００３５】
本発明の他の実施形態として、基板２０とコネクタ部３０と把持部４０とは、金型を用いた射出成型によってワンステップで一体成型されていてもよい。
【００３６】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。また、その様な変更または改良を加えた形態も本発明の技術的範囲に含まれ得ることが、特許請求の範囲の記載から明らかである。
【符号の説明】
【００３７】
１  塗装装置
２  塗装キット
１０  塗布部
２０  基板
３０，３０ａ，３０ｂ，３０ｃ  コネクタ部
３１ａ  コネクタ口部
３１ｂ  コネクタベース部
３１ｃ  コネクタ中間部
３２  コネクタ通路部
３２ａ  コネクタ通路部の通路入口
３２ｂ  コネクタ通路部の通路出口
３３  凸環状部
３４  溝
３５  シールリング
４０  把持部
５０  塗料容器
５１，５１ａ，５１ｂ，５１ｃ  容器口部
５２  容器本体部
５３  容器側面
５４  容器底面
α  角度
Ｃ  中心軸
Ｌ１  塗布部１０の下縁
Ｓ１  塗布部１０の第１の面（塗工面）
Ｓ２  塗布部１０の第２の面（第１の面の対向面）
【図１】
2015123392.tif 000003
【図２】
2015123392.tif 000004
【図３】
2015123392.tif 000005
【図４】
2015123392.tif 000006
【図５】
2015123392.tif 000007
【図６】
2015123392.tif 000008
【図７】
2015123392.tif 000009
【図８】
2015123392.tif 000010
【図９】
2015123392.tif 000011
【図１０】
2015123392.tif 000012
【図１１】
2015123392.tif 000013
【図１２】
2015123392.tif 000014